(57)【特許請求の範囲】
【請求項１】
可撓性を有するエレメントを有し、前記エレメントの先端にトップ部が固着されていると共に、下端に挟持片が形成されているエレメント部分と、
前記エレメント部分の下端に形成されている前記挟持片を枢支することにより、前記エレメント部分を傾動可能に保持するアンテナ基部と、
該アンテナ基部が伸縮可能に保持される円筒状のパイプからなり、先端に内側に絞られた絞り部が、下端に外側に拡径されたテーパ部が形成され、外径が前記エレメント部分における前記エレメントの最大径とほぼ同様の外径とされているパイプ部と、
前記エレメント部分が摺動可能に保持される貫通孔が形成されていると共に、該エレメント部分を引き出した際に前記パイプ部が前記貫通孔内に保持されるホルダーと、
前記アンテナ基部の外周面と前記パイプ部の内周面との間に介在され、前記パイプ部に対して前記アンテナ基部を摺動可能かつ回動可能に保持する円筒状のスプリングと、
該スプリングが前記アンテナ基部から抜け出ないように前記アンテナ基部の下端に固着されるストッパーとを備え、
前記エレメント部分が前記ホルダーから伸張されて、前記アンテナ基部が前記パイプ部から伸張された際に、前記パイプ部の前記テーパ部が前記ホルダーの下端に係止され、前記パイプ部の前記絞り部により前記スプリングが抜け出ないようにされていることを特徴とする伸縮アンテナ。
【請求項２】
前記アンテナ基部の外周面と前記パイプ部の内周面との間であって、前記スプリングの前側にリング部が介在されており、前記アンテナ部分が前記ホルダーから伸張された際に、前記リング部が前記絞り部に当接されることを特徴とする請求項１記載の伸縮アンテナ。
【請求項３】
前記ホルダーに形成されている前記貫通孔の内周面が内側に膨出されていることにより、前記パイプ部が前記貫通孔内に弾性的に保持されることを特徴とする請求項１記載の伸縮アンテナ。
【発明の詳細な説明】
【技術分野】
【０００１】
本発明は、少なくとも受信機能を有する電子機器、特に地上波デジタルテレビ放送を受信することのできる携帯電話機等に備えられる伸縮アンテナに関する。
【背景技術】
【０００２】
携帯電話機が普及しているが、この携帯電話機においては通話や情報を送受信するためにアンテナが備えられている。アンテナは携帯電話機の筐体に内蔵されていたり、携帯電話機の筐体に対して伸縮自在とされて不使用時には筐体内に収納できるリトラクティブなアンテナとされているのが一般的である。
ところで、近年地上波デジタルテレビ放送が開始されて、地上デジタルテレビジョン放送の１セグメント部分受信サービスを受信することのできる携帯電話機も知られている。この１セグメント部分受信サービスを効率よく受信するには、アンテナの指向特性を電波の到来方向に合致させて受信することが必要となる。このため、１セグメント部分受信サービスを受信するアンテナには、筐体に対して傾動可能かつ回転可能としてアンテナの指向特性を調整することができるアンテナが好適となる。また、待ち受け時には携帯に便利なように、アンテナを携帯電話機の筐体に収納できることが好適とされる。
【０００３】
このような伸縮アンテナの構成の一例を図２１に示す。図２１に示す伸縮アンテナ２００は、可撓性とされたエレメント２１２を備え、エレメント２１２の先端には図示しないトップ部が設けられている。また、エレメント２１２の下端に板状の挟持片２１２ａが形成されており、挟持片２１２ａはアンテナ基部２１３の先端に形成されている挟持部２１３ａに、軸部２１６により枢支されている。これにより、エレメント２１２はアンテナ基部２１３に対して傾動可能とされる。アンテナ基部２１３は、ホルダー部２１４に対して摺動可能に保持されており、下端に抜止用のストッパー２１９が固着されている。そして、ホルダー部２１４が携帯電話機の筐体に取り付けられることにより、エレメント２１２をホルダー部２１４内に押し込むよう摺動することにより、筐体内にエレメント２１２を収納することができるようになる。また、この状態においてトップ部を把持してエレメント２１２をホルダー部２１４から引き出すことにより、エレメント２１２を伸張状態とすることができる。伸張状態においては、エレメント２１２をアンテナ基部２１３に対して傾動することができ、傾動させた状態においてホルダー部２１４に対して回動することができる。
【発明の開示】
【発明が解決しようとする課題】
【０００４】
図２１に示す従来の伸縮アンテナ２００は、リトラクタブルアンテナとされており、伸張時に衝撃を受けたときに衝撃を吸収するようエレメント２１２は復元可能に撓むようにされている。また、任意の位置にエレメント２１２を傾けて保持する傾動機構と、傾けたエレメント２１２を水平面内において回転させる回転機構を有している。伸縮アンテナ２００の全長は長くするほど感度を向上することができるが、携帯電話機の筐体内に収納されることから、筐体の空きスペースを超える長さとすることができず、筐体の空きスペースに制限されてしまうという問題点があった。
【０００５】
そこで、本発明は収納時に筐体の空きスペースに制限された長さとしても、伸張した際に従来より長くすることのできる伸縮アンテナを提供することを目的としている。
【課題を解決するための手段】
【０００６】
上記目的を達成するために、本発明の伸縮アンテナは、エレメント部分の下端を枢支するアンテナ基部と、アンテナ基部が内部に摺動可能に保持されるパイプ部とを備え、パイプ部はホルダーに対して摺動可能とされると共に、パイプ部に対してアンテナ基部が伸縮可能とされていることを最も主要な特徴としている。
【発明の効果】
【０００７】
本発明によれば、エレメント部分の下端を枢支するアンテナ基部と、アンテナ基部が内部に摺動可能に保持されるパイプ部とを備え、パイプ部はホルダーに対して摺動可能とされると共に、パイプ部に対してアンテナ基部が伸縮可能とされていることから、アンテナ基部をパイプ部に対して伸張できる分だけ従来より伸縮アンテナの全長を長くすることができる。
【発明を実施するための最良の形態】
【０００８】
本発明の実施例である伸縮アンテナ１の全体の構成を図１に示し、伸縮アンテナ１のＡ部を拡大して図２に一部破断して示す。
これらの図に示す本発明の実施例にかかる伸縮アンテナ１は、先端にトップ部１０が設けられている第１エレメント１１と、第１エレメント１１を内部に摺動自在に収納可能な第２エレメント１２からなるエレメント部分を備え、このエレメント部分は金属製のアンテナ基部１３に傾動可能に枢支されている。トップ部１０は、第１エレメント１１および第２エレメント１２からなるエレメント部分を伸縮する際に把持される摘みとなる合成樹脂製の円盤状の形状とされている。第１エレメント１１は、超弾性合金製の可撓性を有するエレメント導体を柔軟な絶縁チューブで被覆して構成されている。また、第２エレメント１２は、屈曲自在とされているコイルスプリングを柔軟な絶縁チューブで被覆して構成されている。第２エレメント１２の上部には金属製の上部ホールド部が嵌着されており、下部には金属製の下部ホールド部が嵌着されている。第１エレメント１１におけるエレメント導体の下部に保持バネが固着されており、第１エレメント１１を第２エレメント１２内において摺動した際に保持バネの作用により、第１エレメント１１が第２エレメント１２のコイルスプリングの内周面に弾性的に接触して保持されるようになる。これにより、第１エレメント１１を第２エレメント１２から任意の長さで引き出して保持することができるようになる。第２エレメント１２の下端とされる下部ホールド部の下端には角が丸みを帯びたほぼ矩形に形成されている平板状の挟持片１２ａが設けられている。
【０００９】
アンテナ基部１３は、挟持片１２ａを挟持する挟持部１３ａを備え、挟持片１２ａは軸部１６により挟持部１３ａ（すなわち、アンテナ基部１３）に対して傾動可能に枢支されている。挟持部１３ａから、若干外径が細くされた断面形状が円形とされている本体部１３ｂが延伸されており、本体部１３ｂは金属製とされた円筒状のパイプ部１５に対して摺動可能に保持されている。すなわち、本体部１３ｂの外周面にリング部１７と円筒状のスプリング１８が嵌挿されてパイプ部１５内に挿通されており、リング部１７とスプリング１８が本体部１３ｂから抜け出ないように、本体部１３ｂの下部に設けられた雌ネジ部にストッパー１９が螺着されている。リング部１７とスプリング１８は、本体部１３ｂの外周面とパイプ部１５の内周面との間に介在するようになり、スプリング１８の作用によりアンテナ基部１３はパイプ部１５に対して弾性的に伸縮することができ、パイプ部１５に対してアンテナ基部１３を伸張した際に、リング部１７の先端がパイプ部１５の先端に形成されている内側に絞られた絞り部１５ａの内側に係止される。
【００１０】
パイプ部１５の外径は、第２エレメント１２の外径とほぼ等しくされており、パイプ部１５とアンテナ基部１３と第２エレメント１２はホルダー１４の貫通孔内に摺動可能に保持されている。ホルダー１４は上部に鍔部１４ａが形成された円筒状の本体部１４ｂを備えている。円筒状の本体部１４ｂの外周面にはネジ部が形成されており、この本体部１４ｂを例えば携帯電話機の筐体に形成した孔部に螺着することにより、ホルダー１４が携帯電話機に固着される。そして、伸縮アンテナ１が携帯電話機に取り付けられるようになる。図１および図２には、第１エレメント１１と第２エレメント１２からなるエレメント部分がホルダー１４から引き出されると共に、アンテナ基部１３がパイプ部１５から引き出されて伸張状態とされた伸縮アンテナ１の構成が示されている。伸張状態では、パイプ部１５もホルダー１４から引き出されるようになり、パイプ部１５の下端に次第に径が広がるように形成されているテーパ部１５ｂがホルダー１４の下端の内側に当接することにより、それ以上パイプ部１５をホルダー１４から引き出せないようになる。伸縮アンテナ１のトップ部１０を把持して、伸縮アンテナ１を伸張させ終わった際のパイプ部１５の下端からトップ部１０の先端までの伸縮アンテナ１の全長は約１３４ｍｍとなり、パイプ部１５の下端から軸部１６のほぼ中央までの長さＬ１は約２１．８ｍｍとなる。また、アンテナ基部１３をパイプ部１５内に収納した状態を図３に示す。図３に示すように、アンテナ基部１３をパイプ部１５内に収納した際には、挟持部１３ａと本体部１３ｂとの間に形成された段部がパイプ部１５の先端に当接するようになる。アンテナ基部１３をパイプ部１５内に収納した場合のパイプ部１５の下端から軸部１６のほぼ中央までの長さＬ２は約１５ｍｍとなり、アンテナ基部１３をパイプ部１５から引き出せるように構成したことにより、伸縮アンテナ１を引き出した際の全長を約７ｍｍ長くすることができる。
【００１１】
次に、本発明の実施例の伸縮アンテナ１を備える携帯電話機１００の構成の一例を図４ないし図９に示す。ただし、図４は伸縮アンテナ１を携帯電話機１００から伸張させて傾動させた状態を示す斜視図であり、図５は伸縮アンテナ１を携帯電話機１００内に収納した状態を示す斜視図であり、図６は伸縮アンテナ１を携帯電話機１００から伸張させ終わった状態を一部破断して示す図であり、図７は伸縮アンテナ１を携帯電話機１００内に収納した状態を一部破断して示す図であり、図８は伸縮アンテナ１を携帯電話機１００から伸張させた際の傾動範囲を示す正面図であり、図９は伸縮アンテナ１を携帯電話機１００から伸張させた際の回動範囲を示す側面図である。
これらの図に示すように、本発明にかかる伸縮アンテナ１は、携帯電話機１００を構成している筐体１００ａの一側面に取り付けられている。筐体１００ａには、図示していないテンキーや操作ボタンからなる操作部と液晶等からなるディスプレイ１０１とが設けられている。伸縮アンテナ１は、伸張した際に筐体１００ａに対して傾動可能とされており、図４に示す状態ではアンテナ基部１３に対して約９０°傾動されて第１エレメント１１と第２エレメント１２からなるエレメント部分は垂直に直立するようになっている。伸縮アンテナ１は、第２エレメント１２から第１エレメント１１を引き出せると共に、パイプ部１５からアンテナ基部１３を引き出せることができ、多段に伸縮自在とされて伸縮アンテナ１の長さを変えることができるようにされている。また、伸縮アンテナ１を縮納した際には図５および図６に示すようにトップ部１０まで筐体１００ａに設けられている収納空間内に収納することができる。収納された際のパイプ部１５の下端からトップ部１０の先端までの伸縮アンテナ１の全長は約８３．９ｍｍとなる。また、伸張状態の伸縮アンテナ１は筐体１００ａに対して任意の角度で傾動可能とされており、図８に示すように傾動範囲は０°〜約９０°とされている。さらに、伸張状態の伸縮アンテナ１は筐体１００ａに対してアンテナ基部１３を回転軸として回動可能とされており、回動範囲は図９に示すように約３６０°と任意の角度に回動することができる。これにより、携帯電話機１００に取り付けられている伸縮アンテナ１の指向特性を所望の方向に向けると共に、伸縮アンテナ１の長さを変えることができるようになり、地上デジタルテレビジョン放送の１セグメント部分受信サービスを受信することのできる携帯電話機１００に好適なアンテナとすることができる。
【００１２】
次に、本発明の実施例の伸縮アンテナ１を構成している各部品の構成を図１０ないし図１６に示す。
図１０はアンテナ基部１３の構成を示す側面図であり、図１１はアンテナ基部の構成を一部破断して示す平面図である。これらの図に示すように、アンテナ基部１３は真鍮等の金属製とされ挟持部１３ａと、挟持部１３ａより外径が若干細くされた円筒状の本体部１３ｂとから構成されている。挟持部１３ａには、第２エレメント１２の下部ホールド部の下端に形成されている挟持片１２ａが嵌入される挟持溝１３ｃがほぼ中央に形成されている。挟持片１２ａを挟持する挟持部１３ａには挿通孔１３ｅが形成されており、挟持溝１３ｃに挟持片１２ａを嵌入して挿通孔１３ｅに軸部１６となるピンを嵌着することにより、第２エレメント１２はアンテナ基部１３に対して傾動可能に枢支される。また、本体部１３ｂには全体にわたって貫通孔が形成されており、本体部１３ｂの下部の貫通孔内にネジが設けられたネジ孔１３ｄが形成されている。このネジ孔１３ｄにはストッパー１９が螺着される。なお、図示されていないがアンテナ基部１３の貫通孔内には挟持部１３ａに挟持された挟持片１２ａの下面を押圧する押圧棒と、押圧棒を付勢するコイルバネとが内蔵されており、このコイルバネの下端がストッパー１９の上面に当接されることによりコイルバネが押圧棒を挟持片１２ａに押圧するようになる。これにより、第１エレメント１１および第２エレメント１２からなるエレメント部分をアンテナ基部１３に対して傾動した際に所望の傾動角度を保持できると共に、挟持片１２ａの下面に平坦部を設けることでクリック感を得ることができる。
【００１３】
次に、図１２はパイプ部１５の構成を示す側面図であり、図１３はパイプ部１５の構成を断面図で示す側面図である。これらの図に示すように、円筒状とされたパイプ部１５はステンレス等の金属製とされ、全体にわたって貫通孔１５ｃが形成されている。パイプ部１５の先端部に、貫通孔１５ｃの径が若干細くなった挿通孔１５ｄが形成されるように絞り加工されて絞り部１５ａが設けられている。絞り部１５ａの内径はアンテナ基部１３の本体部１３ｂの外径とほぼ一致している。そして、アンテナ基部１３の本体部１３ｂを挿通孔１５ｄに挿通し、次いで、貫通孔１５ｃ内に位置する本体部１３ｂにリング部１７とスプリング１８を嵌挿し、ストッパー１９を本体部１３ｂのネジ孔１３ｄに螺着する。この場合、ストッパー１９の最大外径は、貫通孔１５ｃの内径とほぼ一致していることから、リング部１７およびスプリング１８がストッパー１９を超えて抜け出ることを防止することができる。また、挿通孔１５ｄの内径が本体部１３ｂの外径にほぼ一致していることからリング部１７およびスプリング１８が絞り部１５ａを超えて抜け出ることを防止することができる。これにより、アンテナ基部１３の外周面とパイプ部１５の内周面の間に常に介在しているスプリング１８により、アンテナ基部１３はパイプ部１５に対して弾性的に摺動可能とされると共に回動可能とされる。なお、パイプ部１５の下端には次第に径が広がるテーパ部１５ｂが形成されている。このテーパ部１５ｂは、パイプ部１５がホルダー１４から引き出された際にホルダー１４の下端の内側に当接して、それ以上のパイプ部１５の引き出しを防止している。
【００１４】
次に、図１４（ａ）はリング部１７の構成を示す側面図であり、図１４（ｂ）はリング部１７の構成を断面図で示す側面図である。これらの図に示すように、リング部１７は真鍮等の金属製とされており貫通孔１７ａが形成されている。この貫通孔１７ａの内径は、アンテナ基部１３の本体部１３ｂに挿通できる大きさとされており、リング部１７の外径はパイプ部１５の貫通孔１５ｃ内に挿通できると共に、パイプ部１５の挿通孔１５ｄから抜け出ない大きさとされて、絞り部１５ａに当接した際に係止される径とされている。
【００１５】
次に、図１５（ａ）はスプリング１８の構成を示す側面図であり、図１５（ｂ）はスプリング１８の構成を断面図で示す側面図である。これらの図に示すように、スプリング１８はリン青銅等の弾性を有する金属板を円筒状に屈曲することにより形成されており、側面に複数のほぼ矩形状の切欠孔１８ａが形成されている。切欠孔１８ａの間の片部は外側に膨出されて膨出片１８ｂとされている。スプリング１８は、アンテナ基部１３の外周面とパイプ部１５の内周面との間に介在できる形状とされており、膨出片１８ｂの作用によりアンテナ基部１３がパイプ部１５に対して弾性的に摺動可能とされると共に回動可能となる。
【００１６】
次に、図１６（ａ）はストッパー１９の構成を示す側面図であり、図１６（ｂ）はストッパー１９の構成を断面図で示す側面図である。これらの図に示すように、ストッパー１９は真鍮等の金属製とされており、丸棒状の本体部１９ａと、本体部１９ａの一端に設けられた径が大きくされている円盤状の鍔部１９ｃとから構成されている。鍔部１９ｃの外径は、パイプ部１５内に挿通できると共にアンテナ基部１３の本体部１３ｂの外径より大きくされて、リング部１７およびスプリング１８が鍔部１９ｃを超えられない径とされている。本体部１９ａには、先端部と後端部とを残してネジ部１９ｂが形成されている。このネジ部１９ｂはアンテナ基部１３のネジ孔１３ｄに螺着され、螺着された際にストッパー１９の先端面がアンテナ基部１３の本体部１３ｂ内に収納されているコイルスプリングを押し縮めるように当接される。
【００１７】
ここで、本発明にかかる伸縮アンテナ１をホルダー１４から伸張した際に、図３に示すようにアンテナ基部１３をパイプ部１５内に収納した場合の伸縮アンテナ１のＶＳＷＲの周波数特性を図１７に示す。図１７を参照すると、周波数が４７０ＭＨｚの時に約１．６５のＶＳＷＲが得られており、周波数が５７０ＭＨｚの時に約２．４３のＶＳＷＲが得られており、周波数が６７０ＭＨｚの時に約２．０２のＶＳＷＲが得られており、周波数が７７０ＭＨｚの時に約１．７４のＶＳＷＲが得られている。ＶＳＷＲは、約２．５以下とされていれば十分実用に供することができ、整合回路を設けることでＶＳＷＲをより小さくすることができることから、本発明にかかる伸縮アンテナ１は使用周波数帯域内において良好なＶＳＷＲ特性が得られている。
また、本発明にかかる伸縮アンテナ１のインピーダンス特性を示すスミスチャートを図１８に示す。図１８を参照すると、周波数が４７０ＭＨｚの時に実数分が約４９．０Ω、虚数分が約−２５．１Ωとなっており、周波数が５７０ＭＨｚの時に実数分が約２０．８Ω、虚数分が約４．４Ωとなっており、周波数が６７０ＭＨｚの時に実数分が約４２．３Ω、虚数分が約３２．１Ωとなっており、周波数が７７０ＭＨｚの時に実数分が約３５．９Ω、虚数分が約１８．９Ωとなって良好なインピーダンス特性が得られている。
【００１８】
また、本発明にかかる伸縮アンテナ１をホルダー１４から伸張した際に、図２に示すようにアンテナ基部１３をパイプ部１５から伸張した場合の伸縮アンテナ１のＶＳＷＲの周波数特性を図１９に示す。図１９を参照すると、周波数が４７０ＭＨｚの時に約１．６８のＶＳＷＲが得られており、周波数が５７０ＭＨｚの時に約２．３３のＶＳＷＲが得られており、周波数が６７０ＭＨｚの時に約１．７１のＶＳＷＲが得られており、周波数が７７０ＭＨｚの時に約１．７９のＶＳＷＲが得られており、アンテナ基部１３をパイプ部１５内に収納した場合より使用周波数帯域内において良好なＶＳＷＲ特性が得られている。
また、本発明にかかる伸縮アンテナ１のインピーダンス特性を示すスミスチャートを図２０に示す。図２０を参照すると、周波数が４７０ＭＨｚの時に実数分が約３９．３Ω、虚数分が約−２０．７Ωとなっており、周波数が５７０ＭＨｚの時に実数分が約２２．３Ω、虚数分が約８．９Ωとなっており、周波数が６７０ＭＨｚの時に実数分が約４９．９Ω、虚数分が約２７．１Ωとなっており、周波数が７７０ＭＨｚの時に実数分が約３３．１Ω、虚数分が約１６．９Ωとなって、アンテナ基部１３をパイプ部１５内に収納した場合より使用周波数帯域内において良好なインピーダンス特性が得られている。
【産業上の利用可能性】
【００１９】
以上の説明では、地上デジタルテレビジョン放送の１セグメント部分受信サービスを受信することのできる携帯電話機等の伸縮アンテナとして説明したが、これに限るものではなく傾動して水平面内において回転することが必要とされるアンテナ一般に適用することができるものである。
また、第１エレメントおよび第２エレメントからなるアンテナ部分は２段に伸縮可能としたが、これに限るものではなく第１エレメントのみからなる１段構成のアンテナ部分としても良い。
【図面の簡単な説明】
【００２０】
【図１】本発明の実施例である伸縮アンテナの全体の構成を示す図である。
【図２】本発明の実施例である伸縮アンテナのＡ部を拡大して示す図である。
【図３】本発明の実施例である伸縮アンテナにおいて、アンテナ基部をパイプ部内に収納した状態を示す断面図である。
【図４】本発明にかかる伸縮アンテナを携帯電話機から伸張して傾動した状態を示す斜視図である。
【図５】本発明にかかる伸縮アンテナを携帯電話機に収納した状態を示す斜視図である。
【図６】本発明にかかる伸縮アンテナを携帯電話機から伸張させ終わった状態を一部破断して示す図である。
【図７】本発明にかかる伸縮アンテナを携帯電話機に収納した状態を一部破断して示す図である。
【図８】本発明にかかる伸縮アンテナを携帯電話機から伸張した際の傾動範囲を示す正面図である。
【図９】本発明にかかる伸縮アンテナを携帯電話機から伸張した際の回動範囲を示す側面図である。
【図１０】本発明にかかる伸縮アンテナのアンテナ基部の構成を示す側面図である。
【図１１】本発明にかかる伸縮アンテナのアンテナ基部の構成を一部破断して示す平面図である。
【図１２】本発明にかかる伸縮アンテナのパイプ部の構成を示す側面図である。
【図１３】本発明にかかる伸縮アンテナのパイプ部の構成を断面図で示す側面図である。
【図１４】本発明にかかる伸縮アンテナのリング部の構成を示す側面図およびその断面図である。
【図１５】本発明にかかる伸縮アンテナのスプリングの構成を示す側面図およびその断面図である。
【図１６】本発明にかかる伸縮アンテナのストッパーの構成を示す側面図およびその断面図である。
【図１７】本発明にかかる伸縮アンテナにおいてアンテナ基部をパイプ部内に収納した場合のＶＳＷＲの周波数特性を示す図である。
【図１８】本発明にかかる伸縮アンテナにおいてアンテナ基部をパイプ部内に収納した場合のインピーダンス特性を示すスミスチャートである。
【図１９】本発明にかかる伸縮アンテナにおいてアンテナ基部をパイプ部から伸張した場合のＶＳＷＲの周波数特性を示す図である。
【図２０】本発明にかかる伸縮アンテナにおいてアンテナ基部をパイプ部から伸張した場合のインピーダンス特性を示すスミスチャートである。
【図２１】従来の携帯電話機用のアンテナの一例の構成を示す図である。
【符号の説明】
【００２１】
１  伸縮アンテナ、１０  トップ部、１１  第１エレメント、１２  第２エレメント、１２ａ  挟持片、１３  アンテナ基部、１３ａ  挟持部、１３ｂ  本体部、１３ｃ  挟持溝、１３ｄ  ネジ孔、１３ｅ  挿通孔、１４  ホルダー、１４ａ  鍔部、１４ｂ  本体部、１５  パイプ部、１５ａ  絞り部、１５ｂ  テーパ部、１５ｃ  貫通孔、１５ｄ  挿通孔、１６  軸部、１７  リング部、１７ａ  貫通孔、１８  スプリング、１８ａ  切欠孔、１８ｂ  膨出片、１９  ストッパー、１９ａ  本体部、１９ｂ  ネジ部、１９ｃ  鍔部、１００  携帯電話機、１００ａ  筐体、１０１  ディスプレイ、２００  伸縮アンテナ、２１２  エレメント、２１２ａ  挟持片、２１３  アンテナ基部、２１３ａ  挟持部、２１４  ホルダー部、２１６  軸部、２１９  ストッパー
【図１】
0005063471.tif 000002
【図２】
0005063471.tif 000003
【図３】
0005063471.tif 000004
【図４】
0005063471.tif 000005
【図５】
0005063471.tif 000006
【図６】
0005063471.tif 000007
【図７】
0005063471.tif 000008
【図８】
0005063471.tif 000009
【図９】
0005063471.tif 000010
【図１０】
0005063471.tif 000011
【図１１】
0005063471.tif 000012
【図１２】
0005063471.tif 000013
【図１３】
0005063471.tif 000014
【図１４】
0005063471.tif 000015
【図１５】
0005063471.tif 000016
【図１６】
0005063471.tif 000017
【図１７】
0005063471.tif 000018
【図１８】
0005063471.tif 000019
【図１９】
0005063471.tif 000020
【図２０】
0005063471.tif 000021
【図２１】
0005063471.tif 000022